(57)【要約】【課題】電子機器に発生するサージ電圧のピーク値を特定し得る電子機器管理システムを提供する。【解決手段】電子機器管理システム１００は、電子機器１と、管理サーバー２とを有する。電子機器１は、第１のサージ電圧が検知された場合に、第１のサージ電圧の第１の時間長を示す実測データを取得し、実測データを管理サーバー２に送信する。管理サーバー２は、テスト用の複数の第２のサージ電圧を電子機器１に発生させて得られるデータであって、複数の第２のサージ電圧のそれぞれについてのピーク値及び第２の時間長を示すテストデータと、電子機器１から受信した実測データとに基づいて、第１のサージ電圧のピーク値を特定する。【選択図】図６
2016034188.tif 000002
【特許請求の範囲】
【請求項１】
所定の地域で利用される電子機器と、前記電子機器を管理する管理サーバーとを有する電子機器管理システムであって、
前記電子機器が、
前記所定の地域において前記電子機器に発生する第１のサージ電圧が検知された場合に、前記第１のサージ電圧が検知されてから検知されなくなるまでの第１の時間長を示す実測データを取得する取得部と、
前記実測データを前記管理サーバーに送信する送信部と
を備え、
前記管理サーバーが、
テスト用の複数の第２のサージ電圧を前記電子機器に発生させて得られるデータであって、前記複数の第２のサージ電圧のそれぞれについて当該第２のサージ電圧のピーク値と当該第２のサージ電圧が検知されてから検知されなくなるまでの第２の時間長とを示すテストデータを記憶する記憶部と、
前記電子機器から受信した前記実測データと前記テストデータとに基づいて、前記第１のサージ電圧のピーク値を特定する特定部と
を備える、電子機器管理システム。
【請求項２】
前記管理サーバーが、
特定された前記第１のサージ電圧のピーク値を表示する表示部をさらに備える、請求項１に記載の電子機器管理システム。
【請求項３】
前記特定部は、
前記第１の時間長が、前記複数の第２の時間長のいずれかと一致又は近似する場合、当該一致又は近似する第２の時間長に対応する前記第２のサージ電圧のピーク値を、前記第１のサージ電圧のピーク値として特定し、
前記第１の時間長が、前記複数の第２の時間長のいずれとも一致及び近似しない場合、前記複数の第２のサージ電圧のそれぞれのピーク値と前記第２の時間長との間の相関関係と、前記第１の時間長とに基づいて、前記第１のサージ電圧のピーク値を特定する、請求項１又は２に記載の電子機器管理システム。
【請求項４】
前記電子機器が複数存在し、
前記管理サーバーは、複数の前記電子機器のそれぞれから前記実測データを受信し、
前記特定部は、複数の前記電子機器から受信した前記実測データが示す複数の第１の時間長のうちの最長の第１の時間長に基づいて、当該最長の第１の時間長に対応する前記第１のサージ電圧のピーク値を特定する、請求項１〜３のうちのいずれかに記載の電子機器管理システム。
【請求項５】
所定の地域で利用される電子機器であって、
テスト用の複数の第２のサージ電圧を前記電子機器に発生させて得られるデータであって、前記複数の第２のサージ電圧のそれぞれについて当該第２のサージ電圧のピーク値と当該第２のサージ電圧が検知されてから検知されなくなるまでの第２の時間長とを示すテストデータを記憶する記憶部と、
前記所定の地域において前記電子機器に発生する第１のサージ電圧が検知された場合に、前記第１のサージ電圧が検知されてから検知されなくなるまでの第１の時間長を示す実測データを取得する取得部と、
前記テストデータ及び前記実測データに基づいて、前記第１のサージ電圧のピーク値を特定する特定部と
を備える、電子機器。
【発明の詳細な説明】
【技術分野】
【０００１】
本発明は、商用電源からの電力の供給を受けて動作する電子機器を管理する電子機器管理システム及び当該電子機器に関する。
【背景技術】
【０００２】
例えば、特許文献１には、鉄塔に雷が落ちた場合に発生するサージ電圧のピーク値を予測するシステムが開示されている。当該システムは、発生したサージ電圧のピーク値を予測することにより、保護すべき系統内の各機器の保護レベルを求めて避雷器の動作電圧や保護ギャップのギャップ長等を把握することができ、系統内の各機器を効果的に保護することができる。
【先行技術文献】
【特許文献】
【０００３】
【特許文献１】特開平６−２８４５６６号公報
【発明の概要】
【発明が解決しようとする課題】
【０００４】
ところで、商用電源からの電力の供給を受けて動作する電子機器（以下、単に「電子機器」という）は、所定の限界ピーク値以下のピーク値を持つサージ電圧が発生しても破損しないように設計されている。限界ピーク値は、電子機器が破損しないことが保障されるサージ電圧のピーク値である。
【０００５】
しかし、電子機器に実際に発生するサージ電圧の大きさは、電子機器が利用される地域によって異なる。電子機器が利用される地域によっては、限界ピーク値よりも大きいピーク値を持つサージ電圧（以下「超過サージ電圧」という）が発生する場合がある。従って、超過サージ電圧が発生し得る地域で利用される電子機器は、当該超過サージ電圧が発生しても破損しないようにカスタマイズされる必要がある。また、超過サージ電圧が発生しない地域で利用される電子機器についても、当該地域で発生するサージ電圧に合わせてカスタマイズされてもよい。例えば、ピーク値の小さいサージ電圧しか発生し得ない地域で利用される電子機器が、当該地域で発生するサージ電圧に合わせてカスタマイズされることで、電子機器の構造の簡素化やコストの削減を図ることができる場合がある。
【０００６】
しかし、このような地域ごとのカスタマイズを行う者、例えば電子機器の製造者は、対象の地域において実際にどの程度のピーク値を持つサージ電圧が発生するかを知り得ないため、最適なカスタマイズを行えないという問題がある。なお、特許文献１に開示の技術は、鉄塔に発生したサージ電圧のピーク値を予測する技術であり、商用電源からの電力の供給を受けて動作する電子機器に適用することは困難である。
【０００７】
本発明は、上記課題に鑑みてなされたものであり、その目的は、或る地域において電子機器に発生するサージ電圧のピーク値を特定し得る電子機器管理システム及び電子機器を提供することにある。
【課題を解決するための手段】
【０００８】
本発明の一観点に係る電子機器管理システムは、所定の地域で利用される電子機器と、前記電子機器を管理する管理サーバーとを有する。前記電子機器が、取得部と、送信部とを備える。前記取得部は、前記所定の地域において前記電子機器に発生する第１のサージ電圧が検知された場合に、前記第１のサージ電圧が検知されてから検知されなくなるまでの第１の時間長を示す実測データを取得する。前記送信部は、前記実測データを前記管理サーバーに送信する。前記管理サーバーが、テストデータを記憶する記憶部と、特定部とを備える。前記テストデータは、テスト用の複数の第２のサージ電圧を前記電子機器に発生させて得られるデータであって、前記複数の第２のサージ電圧のそれぞれについて当該第２のサージ電圧のピーク値と当該第２のサージ電圧が検知されてから検知されなくなるまでの第２の時間長とを示す。前記特定部は、前記電子機器から受信した前記実測データと前記テストデータとに基づいて、前記第１のサージ電圧のピーク値を特定する。
【０００９】
本発明の別の観点に係る電子機器は、所定の地域で利用される電子機器である。前記電子機器は、テストデータを記憶する記憶部と、取得部と、特定部とを備える。前記テストデータは、テスト用の複数の第２のサージ電圧を前記電子機器に発生させて得られるデータであって、前記複数の第２のサージ電圧のそれぞれについて当該第２のサージ電圧のピーク値と当該第２のサージ電圧が検知されてから検知されなくなるまでの第２の時間長とを示す。前記取得部は、前記所定の地域において前記電子機器に発生する第１のサージ電圧が検知された場合に、前記第１のサージ電圧が検知されてから検知されなくなるまでの第１の時間長を示す実測データを取得する。前記特定部は、前記テストデータ及び前記実測データに基づいて、前記第１のサージ電圧のピーク値を特定する。
【発明の効果】
【００１０】
本発明によると、或る地域において電子機器に発生するサージ電圧のピーク値を特定し得る電子機器管理システム及び電子機器が提供される。
【図面の簡単な説明】
【００１１】
【図１】図１は、実施形態に係る電子機器管理システムの一例の構成図である。
【図２】図２は、実施形態に係る電子機器の一例の構成図である。
【図３】図３は、実施形態に係る管理サーバーの一例の構成図である。
【図４】図４は、第２のサージ電圧の波形を示す図である。
【図５】図５は、実測データ取得処理のフローチャートである。
【図６】図６は、サージピーク値特定処理のフローチャートである。
【発明を実施するための形態】
【００１２】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１３】
図１は、実施形態に係る電子機器管理システムの一例の構成図である。
【００１４】
電子機器管理システム１００は、電子機器１（電子機器１Ａ及び電子機器１Ｂ）に実際に発生したサージ電圧のピーク値を特定し、特定したピーク値を含む情報を、電子機器管理システム１００の管理者に提示するためのシステムである。電子機器管理システム１００は、複数の電子機器１と、管理サーバー２とを有する。複数の電子機器１のそれぞれと管理サーバー２とは、通信ネットワーク３を介して通信可能に接続される。通信ネットワーク３は、例えば、インターネット又は専用回線である。
【００１５】
電子機器１は、商用電源からの電力の供給を受けて動作する機器であり、例えば、複合機（ＭＦＰ：Multi Function Peripheral）である。本実施形態において、複数の電子機器１のうちの幾つかは、或る地域Ａで利用され、他の幾つかは、地域Ａとは異なる地域Ｂで利用される。地域は、例えば国ごとに区分された地域であり、例えば、地域Ａは日本国であり、地域Ｂは米国である。なお、複数の電子機器１のうちの幾つかが、地域Ａ及び地域Ｂ以外の地域で利用されてもよい。また、地域は、国ごとに区分された地域に限られず、地方ごとに区分された地域であってもよいし、国及び地方とは異なる単位で区分された地域であってもよい。
【００１６】
管理サーバー２は、複数の電子機器１を管理する装置である。管理サーバー２は、電子機器１が市場に投入される前に行われるテストにより得られたテストデータと、電子機器１が市場に投入された後に実際に検知したサージ電圧に関する実測データとに基づいて、電子機器１が利用される地域において発生するサージ電圧のピーク値を特定する。
【００１７】
なお、電子機器１が市場に投入される前のテストにおいて、テストを行う者は、テスト用のサージ電圧を発生させる試験機を利用し、限界ピーク値以下のピーク値を持つ種々のテスト用のサージ電圧を電子機器１に発生させて、電子機器１のテストを行う。以下、電子機器１が市場に投入された後に電子機器１に発生するサージ電圧を「第１のサージ電圧」という。また、テスト用のサージ電圧、すなわちテストにおいて試験機が電子機器１に発生させたサージ電圧を「第２のサージ電圧」という。
【００１８】
図２は、実施形態に係る電子機器の一例の構成図である。
【００１９】
電子機器１は、メイン基板１１と、低圧電源基板１２とを備える。低圧電源基板１２には、商用電源から供給された電力を交流から直流に変換するための回路（以下「変換回路」という）が形成される。変換回路によって変換された後の直流の電力は、メイン基板１１に供給される。低圧電源基板１２に形成される変換回路は、慣用の変換回路である。低圧電源基板１２は、例えば、サージ電圧検知回路１２１と、制御回路１２２と、フィルター回路１２３と、２つの整流平滑回路１２４、１２７と、スイッチング回路１２５と、トランス１２６とを備える。
【００２０】
サージ電圧検知回路１２１は、電子機器１の変換回路に発生した第１のサージ電圧を検知する。具体的には、サージ電圧検知回路１２１は、低圧電源基板１２に入力された電圧の電圧値が所定のサージ閾値、例えば０．３ｋＶ（キロボルト）を超えた場合に、その入力された電圧を第１のサージ電圧として検知する。サージ電圧検知回路１２１は、第１のサージ電圧を検知した場合に、第１のサージ電圧を検知したことを通知する信号（以下「サージ検知信号」という）をメイン基板１１の制御部１１１に送信する。制御回路１２２は、制御部１１１からの指示に基づいて、変換回路の動作を制御する。
【００２１】
メイン基板１１には、電子機器１の機能を実現するための処理の実行に必要な種々の部品が搭載される。電子機器１の機能は、例えば電子機器１が複合機である場合は、印刷機能やスキャナー機能等である。メイン基板１１は、例えば、制御部１１１と、記憶部１１２と、データ通信Ｉ／Ｆ（インターフェイス）１１３（送信部）と、ＲＴＣ（Real Time Clock）１１４とを備える。制御部１１１、記憶部１１２、データ通信Ｉ／Ｆ１１３、及びＲＴＣ１１４は、内部バス１１５を介して相互に接続される。
【００２２】
制御部１１１は、例えばＣＰＵ（Central Processing Unit）であり、電子機器１の動作を制御する。制御部１１１は、実測データ取得部１１６（取得部）を備える。実測データ取得部１１６は、第１のサージ電圧が検知された場合に、第１のサージ電圧が検知されてから検知されなくなるまでの時間の長さ（以下「第１の時間長」という）を示す実測データを取得する。
【００２３】
記憶部１１２は、ＲＯＭ（Read Only Memory）と、ＲＡＭ（Random Access Memory）と、二次記憶装置とを含む。二次記憶装置は、例えば、ハードディスクやフラッシュメモリー等の不揮発性の記憶装置である。ＲＯＭには、制御部１１１によって実行される種々のコンピュータープログラムが記憶される。制御部１１１の機能及び実測データ取得部１１６の機能は、制御部１１１がＲＯＭからＲＡＭにロードされた各種のコンピュータープログラムを実行することにより実現される。なお、実測データ取得部１１６の機能をソフトウェアで実現することに代えて、当該機能を実現するハードウェアが、電子機器１に搭載されてもよい。データ通信Ｉ／Ｆ１１３は、通信ネットワーク３に接続するためのインターフェイス装置である。
【００２４】
図３は、実施形態に係る管理サーバーの一例の構成図である。
【００２５】
管理サーバー２は、制御部２１と、記憶部２２と、データ通信Ｉ／Ｆ２３と、入出力部２４（表示部）とを有する。制御部２１、記憶部２２、データ通信Ｉ／Ｆ２３、及び入出力部２４は、内部バス２５を介して相互に接続される。
【００２６】
制御部２１は、例えばＣＰＵであり、管理サーバー２の動作を制御する。制御部２１は、サージピーク値特定部２１１（特定部）を有する。サージピーク値特定部２１１は、電子機器１から受信した実測データとテストデータ４とに基づいて、電子機器１に発生した第１のサージ電圧のピーク値を特定する。
【００２７】
記憶部２２は、ＲＯＭと、ＲＡＭと、二次記憶装置とを含む。二次記憶装置は、例えば、ハードディスクやフラッシュメモリー等の不揮発性の記憶装置である。記憶部２２のＲＯＭには、制御部２１によって実行される種々のコンピュータープログラムが記憶される。また、記憶部２２には、テストデータ４が記憶される。テストデータ４は、複数の第２のサージ電圧を電子機器１に発生させて得られるデータであって、複数の第２のサージ電圧のそれぞれについて当該第２のサージ電圧のピーク値と当該第２のサージ電圧が検知されてから検知されなくなるまでの時間の長さ（以下「第２の時間長」という）とを示すデータである。
【００２８】
制御部２１の機能及びサージピーク値特定部２１１の機能は、制御部２１が、ＲＯＭからＲＡＭにロードされた各種のコンピュータープログラムを実行することにより実現される。なお、サージピーク値特定部２１１の機能をソフトウェアで実現することに代えて、当該機能を実現するハードウェアが、管理サーバー２に搭載されてもよい。
【００２９】
データ通信Ｉ／Ｆ２３は、通信ネットワーク３に接続するためのインターフェイス装置である。入出力部２４は、管理サーバー２を操作する管理者に対して入出力機能を提供する装置である。入出力部２４は、管理者からの入力を受け付け、また、管理者へ提示する情報を表示する。入出力部２４は、例えばタッチパネル、操作キー、及び／又はディスプレーである。
【００３０】
図４は、第２のサージ電圧の波形を示す図である。
【００３１】
図４には、３つの第２のサージ電圧の波形、すなわち第１の波形５Ａ、第２の波形５Ｂ、及び第３の波形５Ｃが示されている。第１の波形５Ａは、ピーク値が１ｋＶの第２のサージ電圧（以下「第２のサージ電圧Ａ」と表記する）の波形を示している。第２のサージ電圧Ａの第２の時間長は、（Ｔｂ１−Ｔａ１）μｓである。ここで、Ｔａ１は、第２のサージ電圧Ａが検知された時刻、本実施形態では第２のサージ電圧Ａの電圧値がサージ閾値（例えば、０．３ｋＶ）を超えた時刻である。Ｔｂ１は、第２のサージ電圧Ａが検知されなくなった時刻、本実施形態では第２のサージ電圧Ａの電圧値が０ｋＶとなった時刻である。Ｔａ１及びＴｂ１は、例えば、試験機が第２のサージ電圧Ａを電子機器１に発生させた際に、電子機器１によって記録される。
【００３２】
第２の波形５Ｂは、ピーク値が２ｋＶの第２のサージ電圧（以下「第２のサージ電圧Ｂ」と表記する）の波形を示している。第２のサージ電圧Ｂの第２の時間長は、（Ｔｂ２−Ｔａ２）μｓである。ここで、Ｔａ２は、第２のサージ電圧Ｂが検知された時刻、本実施形態では第２のサージ電圧Ｂの電圧値がサージ閾値を超えた時刻である。Ｔｂ２は、第２のサージ電圧Ｂが検知されなくなった時刻、本実施形態では第２のサージ電圧Ｂの電圧値が０ｋＶとなった時刻である。Ｔａ２及びＴｂ２は、例えば、試験機が第２のサージ電圧Ｂを電子機器１に発生させた際に、電子機器１によって記録される。
【００３３】
第３の波形５Ｃは、ピーク値が５ｋＶの第２のサージ電圧（以下「第２のサージ電圧Ｃ」と表記する）の波形を示している。第２のサージ電圧Ｃの第２の時間長は、（Ｔｂ３−Ｔａ３）μｓである。ここで、Ｔａ３は、第２のサージ電圧Ｃが検知された時刻、本実施形態では第２のサージ電圧Ｃの電圧値がサージ閾値を超えた時刻である。Ｔｂ３は、第２のサージ電圧Ｃが検知されなくなった時刻、本実施形態では第２のサージ電圧Ｃの電圧値が０ｋＶとなった時刻である。Ｔａ３及びＴｂ３は、例えば、試験機が第２のサージ電圧Ｃを電子機器１に発生させた際に、電子機器１によって記録される。例えば、第２のサージ電圧Ｃのピーク値、すなわち５ｋＶは、本実施形態に係る電子機器１の限界ピーク値である。
【００３４】
例えば、図４に示す３つの第２のサージ電圧を電子機器１に発生させて電子機器１のテストが行われた場合は、テストデータ４は、当該３つの第２のサージ電圧のそれぞれのピーク値及び第２の時間長を示すデータとなる。すなわち、当該テストデータ４は、第２のサージ電圧Ａのピーク値（１ｋＶ）及び第２の時間長（（Ｔｂ１−Ｔａ１）μｓ）と、第２のサージ電圧Ｂのピーク値（２ｋＶ）及び第２の時間長（（Ｔｂ２−Ｔａ２）μｓ）と、第２のサージ電圧Ｃのピーク値（５ｋＶ）及び第２の時間長（（Ｔｂ３−Ｔａ３）μｓ）とを示すデータとなる。
【００３５】
なお、テストデータ４には、第２のサージ電圧のピーク値及び第２の時間長に加えて、第２のサージ電圧が検知された時刻を示すデータと、第２のサージ電圧が検知されなくなった時刻を示すデータとが含まれてもよい。また、テスト時に電子機器１に発生させる第２のサージ電圧の種類の数は、３つに限られず、幾つでもよい。例えば、Ｎ種類の第２のサージ電圧を電子機器１に発生させて電子機器１のテストが行われた場合は、テストデータ４は、当該Ｎ種類の第２のサージ電圧、或いは当該Ｎ種類の第２のサージ電圧のうちのいずれか複数種類の第２のサージ電圧のそれぞれのピーク値及び第２の時間長を示すデータとなる。
【００３６】
図４からわかるように、第２のサージ電圧のピーク値と第２の時間長との間には、ピーク値が大きくなると、第２の時間長も大きくなるという関係がある。より具体的には、第２のサージ電圧のピーク値と第２の時間長との間には、ピーク値がＸ倍になると、第２の時間長がａＸ倍になるという関係がある。ここで、Ｘは変数であり、ａは定数である。定数ａは、電子機器１の構造に依存して定まり、同機種の電子機器１間で同じ値となる。定数ａが１の場合、第１の波形５Ａ、第２の波形５Ｂ、及び第３の波形５Ｃは、互いに相似関係を有することになる。
【００３７】
従って、管理サーバー２は、第１のサージ電圧が検知された場合において当該第１のサージ電圧の第１の時間長を知ることができれば、複数の第２のサージ電圧のそれぞれのピーク値と第２の時間長との間の相関関係に基づいて、当該第１のサージ電圧のピーク値を特定することができる。
【００３８】
例えば、図４の例において、第２のサージ電圧Ｂの第２の時間長（（Ｔｂ２−Ｔａ２）μｓ）が、第２のサージ電圧Ａの第２の時間長（（Ｔｂ１−Ｔａ１）μｓ）の２倍の時間長であった場合、定数ａは、１となる。第２のサージ電圧Ｂのピーク値（２ｋＶ）も、第２のサージ電圧Ａのピーク値（１ｋＶ）の２倍だからである。つまり、第１の波形５Ａ、第２の波形５Ｂ、及び第３の波形５Ｃは、互いに相似関係を有することになる。この場合、管理サーバー２は、検知された第１のサージ電圧の波形が、第１の波形５Ａ、第２の波形５Ｂ、及び第３の波形５Ｃと相似関係を有するように、当該第１のサージ電圧のピーク値を特定し得る。具体的には、検知された第１のサージ電圧の第１の時間長をＴμｓとした場合、当該第１の時間長（Ｔμｓ）は、第２のサージ電圧Ａの第２の時間長（（Ｔｂ１−Ｔａ１）μｓ）のＴ／（Ｔｂ１−Ｔａ１）倍の時間長となる。従って、管理サーバー２は、第２のサージ電圧Ａのピーク値（１ｋＶ）のＴ／（Ｔｂ１−Ｔａ１）倍であるピーク値、すなわちＴ／（Ｔｂ１−Ｔａ１）ｋＶを、検知された第１のサージ電圧のピーク値として特定する。
【００３９】
以下、電子機器管理システム１００において行われる処理の詳細を説明する。電子機器管理システム１００において、電子機器１に発生した第１のサージ電圧に関する実測データを取得する実測データ取得処理と、電子機器１に発生した第１のサージ電圧のピーク値を特定し、特定したピーク値を表示するサージピーク値特定処理とが行われる。
【００４０】
図５は、実測データ取得処理のフローチャートである。
【００４１】
電子機器１の実測データ取得部１１６は、サージ電圧検知回路１２１からサージ検知信号を受信することで、電子機器１に発生した第１のサージ電圧がサージ電圧検知回路１２１により検知されたことを認識する。実測データ取得部１１６は、サージ検知信号を受信した場合（ステップＳ１０１：ＹＥＳ）、検知された第１のサージ電圧に関する実測データを生成し、生成した実測データを記憶部１１２に記憶する（ステップＳ１０２）。
【００４２】
具体的には、実測データ取得部１１６は、第１のサージ電圧が検知された時刻と、第１のサージ電圧が検知されなくなった時刻とをＲＴＣ１１４から取得する。本実施形態において、第１のサージ電圧が検知された時刻は、当該第１のサージ電圧の電圧値がサージ閾値（例えば、０．３ｋＶ）を超えた時刻である。また、第１のサージ電圧が検知されなくなった時刻は、当該第１のサージ電圧の電圧値が０ｋＶとなった時刻である。実測データ取得部１１６は、第１のサージ電圧が検知された時刻と第１のサージ電圧が検知されなくなった時刻とに基づいて、検知された第１のサージ電圧の第１の時間長を算出する。そして、実測データ取得部１１６は、算出した第１の時間長を示す実測データを生成し、記憶部１１２に記憶する。
【００４３】
次に、電子機器１の制御部１１１は、データ通信Ｉ／Ｆ１１３を制御して、第１のサージ電圧が発生したことを示す通知（以下「サージ発生通知」という）を、通信ネットワーク３を介して管理サーバー２へ送信する（ステップＳ１０２）。サージ発生通知には、ステップＳ１０２で生成された実測データが含められる。その後、制御部１１１は、実測データ取得処理を終了する。
【００４４】
図６は、サージピーク値特定処理のフローチャートである。
【００４５】
管理サーバー２のサージピーク値特定部２１１は、対象の地域（地域Ａ又は地域Ｂ）で利用されている１以上の電子機器１から受信したサージ発生通知の数をカウントする。受信したサージ発生通知の数が所定数以上である場合（ステップＳ２０１：ＹＥＳ）、サージピーク値特定部２１１は、受信したサージ発生通知に含まれる実測データとテストデータ４とに基づいて、電子機器１に発生した第１のサージ電圧のピーク値を特定する（ステップＳ２０２）。
【００４６】
本実施形態において、サージピーク値特定部２１１は、対象の地域において発生した１以上の第１のサージ電圧の最大値、すなわち１以上のサージ発生通知によって発生が通知された１以上の第１のサージ電圧のピーク値のうちの最大値（以下「最大ピーク値」という）を特定する。すなわち、サージピーク値特定部２１１は、まず、受信した１以上のサージ発生通知のそれぞれに含まれる実測データが示す１以上の第１の時間長の中から、最長の第１の時間長（以下「対象時間長」という）を特定する。そして、サージピーク値特定部２１１は、対象時間長に対応する第１のサージ電圧（以下「対象サージ電圧」という）のピーク値を、最大ピーク値として特定する。
【００４７】
具体的には、サージピーク値特定部２１１は、次のようにして、対象サージ電圧のピーク値を特定する。すなわち、対象時間長が、テストデータ４が示す複数の第２の時間長のいずれかと一致又は近似する場合、サージピーク値特定部２１１は、当該一致又は近似する第２の時間長に対応する第２のサージ電圧のピーク値を、対象サージ電圧のピーク値として特定する。一方、対象時間長が、テストデータ４が示す複数の第２の時間長のいずれとも一致及び近似しない場合、サージピーク値特定部２１１は、テストデータ４が示す複数の第２のサージ電圧のそれぞれのピーク値と第２の時間長との間の相関関係と、対象時間長とに基づいて、対象サージ電圧のピーク値を特定する。
【００４８】
その後、管理サーバー２の制御部２１は、特定した第１のサージ電圧のピーク値（本実施形態では、最大ピーク値）を入出力部２４に表示する（ステップＳ２０３）。その後、制御部２１は、サージピーク値特定処理を終了する。
【００４９】
なお、管理サーバー２は、複数の地域のそれぞれについてサージピーク値特定処理を行って各地域の最大ピーク値を特定し、特定した各地域の最大ピーク値を表示してもよい。また、管理サーバー２は、最大ピーク値だけでなく、１以上のサージ発生通知によって発生が通知された１以上の第１のサージ電圧のそれぞれのピーク値を特定して表示してもよい。
【００５０】
本実施形態によれば、電子機器管理システム１００は、地域ごとに、当該地域において電子機器１に実際に発生した第１のサージ電圧のピーク値（本実施形態では、最大ピーク値）を特定し、特定したピーク値を表示して管理者に通知する。これにより、管理者は、各地域において実際にどの程度のピーク値を持つサージ電圧が発生するかを知ることができ、地域ごとの電子機器１のカスタマイズを容易且つ的確に行えるようになる。
【００５１】
以上、本発明の一つの実施形態を説明したが、本発明は、この実施形態に限定されるものでなく、その要旨を逸脱しない範囲で種々変更可能である。
【００５２】
例えば、本実施形態では、電子機器１に発生した第１のサージ電圧のピーク値の特定及び表示は、管理サーバー２によって行われたが、電子機器１によって行われてもよい。この場合、電子機器１の記憶部１１２には、テストデータ４が記憶される。また、電子機器１の制御部１１１は、特定部をさらに備える。また、電子機器１は、表示部をさらに備える。そして、電子機器１は、当該電子機器に発生した第１のサージ電圧に関する実測データを取得した後、その特定部が、取得した実測データと記憶部１１２に記憶されているテストデータ４とに基づいて、当該第１のサージ電圧のピーク値を特定し、特定したピーク値を表示部に表示してもよい。
【符号の説明】
【００５３】
１      電子機器
１００  電子機器管理システム
１１１  制御部
１１６  実測データ取得部
２      管理サーバー
２１    制御部
２１１  サージピーク値特定部
３      通信ネットワーク
４      テストデータ
【図１】
2016034188.tif 000003
【図２】
2016034188.tif 000004
【図３】
2016034188.tif 000005
【図４】
2016034188.tif 000006
【図５】
2016034188.tif 000007
【図６】
2016034188.tif 000008